(57)【要約】      （修正有）【課題】引き伸ばしトレーニング機能付きエクササイズバイクを提供する。【解決手段】フロントフレーム１１とリアフレーム１２を備えるベースフレーム１０、リアフレーム１２に設けられる傾斜スライドレール２０、中間部が係合される第一フォーク３１と第二フォーク３２を備えてなる交差式可動縦フレーム３０が備わり、第一フォーク３１の下端はフロントフレーム１１に設けられ、第二フォーク３２の下端には傾斜スライドレール２０に設けられるスライド部３２５があり、第一フォーク３１の下段部に設けられる足踏み式クランク機構４０、第一フォーク３１の上端に設けられるサドル５０、第二フォーク３２の上端に設けられるハンドル６０が備わり、ハンドル６０を上へ引き上げると、スライド部３２５が傾斜スライドレール２０に沿い、前へスライド移動しながら、連動して、サドル５０が上昇する。また、第二フォーク３２と第一フォーク３１を原位置に復帰させるための原位置誘導復元弾性部材７０を備える。【選択図】図１
0003201689.tif 000002
【実用新案登録請求の範囲】
【請求項１】
引き伸ばしトレーニング機能付きエクササイズバイクであって、
フロントフレーム（１１）とリアフレーム（１２）を備えてなるベースフレーム（１０）と、
後端部が上向きに傾斜して、ベースフレーム（１０）のリアフレーム１２に延伸されている傾斜スライドレール（２０）と、
第一フォーク（３１）と第二フォーク（３２）を備え、該第一フォーク（３１）と第二フォーク（３２）との間は支軸（３３）によって係合され、該第一フォーク（３１）の下端にはベースフレーム（１０）のフロントフレーム（１１）に連結される連結端部（３１５）が設けられ、第二フォーク（３２）の下端にはスライド移動可能にベースフレーム（１０）のリアフレーム（１２）にある傾斜スライドレール（２０）に設けられるスライド部（３２５）がある交差式可動縦フレーム（３０）と、
交差式可動縦フレーム（３０）の第一フォーク（３１）の下段部に設けられる足踏み式クランク機構（４０）であって、クランク軸（４１）、該クランク軸（４１）の左右二端にそれぞれ設けられる二つのペダル（４２）、及び該クランク軸（４１）と連動されるハンチング防止装置４３を備えてなる足踏み式クランク機構（４０）と、
交差式可動縦フレーム（３０）の第一フォーク（３１）の上端に設けられるサドル（５０）と、
交差式可動縦フレーム（３０）の第二フォーク（３２）の上端に設けられるハンドル（６０）であって、力を入れて上へ引き上げると、第二フォーク（３２）の下端にあるスライド部（３２５）が傾斜スライドレール（２０）に沿って前へスライド移動しながら、第一フォーク（３１）の上端にあるサドル（５０）が連動して上昇するように設けられているハンドル（６０）と、
交差式可動縦フレーム（３０）の第一フォーク（３１）と第二フォーク（３２）の間に設けられ、第二フォーク（３２）と第一フォーク（３１）を原位置に復帰させるための原位置誘導復元弾性部材（７０）とが備わっていることを特徴とする引き伸ばしトレーニング機能付きエクササイズバイク。
【請求項２】
該傾斜スライドレール（２０）は二つのスライドスロット（２１）を備えてなり、第二フォーク（３２）の下端にあるスライド部（３２５）はそれに対応するために、間隔を開けて設けられる二つのフレームバースティング（３２７）があり、かつ、傾斜スライドレール（２０）の二つのスライドスロット（２１）の中を回転しながら移動するための二つのローラー（３２９）が設けられていることを特徴とする請求項１に記載の引き伸ばしトレーニング機能付きエクササイズバイク。
【請求項３】
該原位置誘導復元弾性部材（７０）は、少なくとも一つの引張ばね、または、少なくとも一つの弾性バンドからなるものであることを特徴とする請求項２に記載の引き伸ばしトレーニング機能付きエクササイズバイク。
【請求項４】
該ベースフレーム（１０）のフロントフレーム（１１）とリアフレーム（１２）には更に、可動ジョイント（１１３）、（１１５）と角度決めピン（１２４）が設けられ、ベースフレーム（１０）がプリセットの使用状態に折り曲げられ、または収納状態に折畳まれることを選択できるように設けられていることを特徴とする請求項３に記載の引き伸ばしトレーニング機能付きエクササイズバイク。
【考案の詳細な説明】
【技術分野】
【０００１】
本考案はエクササイズバイクに関わり、特に引き伸ばしトレーニング機能付きのオリジナルなエクササイズバイクの構造設計に関する。
【背景技術】
【０００２】
エクササイズバイクは現在、非常に普及されている市販の室内運動器具の一つで、自転車漕ぎをシミュレーションして考案された足漕ぎ運動形態であり、非常に簡単でかつ使いやすいエクササイズ、フィットネス効果を果せるものである。
【０００３】
開発されて以来、歴史が長いと言える室内運動器具であるエクササイズバイクは、業界間で競争が非常に激しく、当該エクササイズバイク製品のあらゆる面（例えば、機能、フィットネス効果、レジャー性・娯楽性、製造コスト、付加価値など）で優點を増進させ、競争相手のより更に使用者の目を惹き付けるのが、関連業者が常に取り組んでいる技術課題である。
【０００４】
従来のエクササイズバイクの構造形態から見た欠点と言えば、使用者の足部や脚部のみのエクササイズ・フィットネス効果があり、そのエクササイズ・フィットネス効果が限られたという問題点や欠点があること。そこで、業界で、そのエクササイズ・フィットネス効果を向上させることに当って、その全体構造の複雑化や過剰体積増加の有無などについて、更に慎重に検討しなければならない。
【０００５】
それゆえ、上述した従来のエクササイズバイク構造に存在する問題点について、より理想的で実用性のあるオリジナルな構造を開発するのが、使用者が望むことで、関連業者がその研究開発に取り組むべき目標と方向でもある。
【０００６】
それに鑑みて、考案者は関連製品の製造開発と設計に携わる長年の経験を持っており、上述した目標について、詳しく設計、慎重に評価したうえ、ようやく、実用性のある本考案を得られたわけである。
【考案の概要】
【考案が解決しようとする課題】
【０００７】
本考案は、引き伸ばしトレーニング機能付きエクササイズバイクを提供することを目的とし、解決しようとする課題として、より理想的で実用性のあるオリジナルなエクササイズバイク構造形態を開発することにある。
【課題を解決するための手段】
【０００８】
本考案の課題を解決するための技術特徴として、フロントフレームとリアフレームを備えてなるベースフレーム、後端部が上向きに傾斜して、ベースフレームのリアフレームに延伸されている傾斜スライドレール、第一フォークと第二フォークを備えてなる交差式可動縦フレームが備わり、該第一フォークと第二フォークとの間は支軸によって係合され、該第一フォークの下端にはベースフレームのフロントフレームに設けられる連結端部、第二フォークの下端にはスライド移動可能で、ベースフレームのリアフレームにある傾斜スライドレールに設けられるスライド部があり、交差式可動縦フレームの第一フォークの下段部に設けられる足踏み式クランク機構が備わり、該足踏み式クランク機構はクランク軸、それぞれ該クランク軸の左右二端に設けられる二つのペダル、及び該クランク軸と連動されるハンチング防止装置を備えてなり、交差式可動縦フレームの第一フォークの上端に設けられるサドル、交差式可動縦フレームの第二フォークの上端に設けられるハンドルが備わり、該ハンドルに力を入れて、上へ引き上げると、第二フォークの下端にあるスライド部が傾斜スライドレールに沿い、前へスライド移動しながら、第一フォーク上端にあるサドルがそれに連動して、上昇するように設けられており、交差式可動縦フレームの第一フォーク３１と第二フォークの間に設けられ、第二フォークと第一フォークを原位置に復帰させるための原位置誘導復元弾性部材が備わっていることを特徴とする該エクササイズバイク。
【０００９】
このようなオリジナルな設計による本考案は背景技術に対して、エクササイズバイクが引き伸ばしトレーニング機能を備えており、エクササイズ・フィットネス効果を大幅に向上させると同時に、簡単な構造を保つという実用性、進歩性がある。
【考案の効果】
【００１０】
本考案に掲示された「引き伸ばしトレーニング機能付きエクササイズバイク」は、該ベースフレーム、傾斜スライドレール、交差式可動縦フレーム、足踏み式クランク機構、サドル、ハンドル、原位置誘導復元弾性部材などを備えてなるオリジナルな構造形態と技術特徴により、本考案のエクササイズバイクは背景技術に述べられた従来の構造に対して、腕の引き伸ばしトレーニング機能を有し、エクササイズバイクによるエクササイズ・フィットネス效果を大幅に向上させるとい実用性、進歩性があり、それに、簡単な構造を保っているため、製造加工や組立てのコストを最小限に抑えられるという好適な産業上の経済的利益に適合している。
【００１１】
上述の実施例に掲げたのは、本考案を具體的に説明するための内容であり、文中で専門用語を使用して説明してきたが、それらによって本考案の実用新案登録請求範囲を制限してはならず、この技術分野が分かる者は、本考案のコンセプトや考えなどを理解して、その改造や変更などを行って同等な目的を達成しても、それらの改造や変更などはすべて後述の登録請求範囲に含まれるものである。
【図面の簡単な説明】
【００１２】
【図１】本考案構造の好適な実施例の立体図である。
【図２】本考案構造の好適な実施例の側面図である。
【図３】本考案構造の好適な実施例の局所構造の分解立体図である。
【図４】本考案構造の好適な実施例の局所構造の断面図である。
【図５】本考案構造の好適な実施例の局所構造に関する分解と拡大立体図である。
【図６】本考案構造の動作・変化状態イメージである。
【図７】本考案の使用者が使用している運動状態のイメージ一である。
【図８】本考案の使用者が使用している運動状態のイメージ二である。
【図９】本考案構造の折畳まれた収納状態のイメージである。
【考案を実施するための形態】
【００１３】
図１〜図４に示すのは、本考案の引き伸ばしトレーニング機能付きエクササイズバイクの好適な実施例だが、これらの実施例は説明のみに用いられるもので、特許請求の際、これらの構造に制限されないものとする。フロントフレーム１１とリアフレーム１２を備えてなるベースフレーム１０、後端部が上向きに傾斜して、ベースフレーム１０のリアフレーム１２に延伸されている傾斜スライドレール２０、第一フォーク３１と第二フォーク３２を備えてなる交差式可動縦フレーム３０が備わり、該第一フォーク３１と第二フォーク３２との間は支軸３３によって係合され、該第一フォーク３１の下端にはベースフレーム１０のフロントフレーム１１に設けられる連結端部３１５、第二フォーク３２の下端にはスライド移動可能で、ベースフレーム１０のリアフレーム１２にある傾斜スライドレール２０に設けられるスライド部３２５があり、交差式可動縦フレーム３０の第一フォーク３１の下段部に設けられる足踏み式クランク機構４０が備わり、該足踏み式クランク機構４０はクランク軸４１、それぞれ該クランク軸４１の左右二端に設けられる二つのペダル４２、及び該クランク軸４１と連動されるハンチング防止装置４３を備えてなり、交差式可動縦フレーム３０の第一フォーク３１の上端に設けられるサドル５０、交差式可動縦フレーム３０の第二フォーク３２の上端に設けられるハンドル６０が備わり、該ハンドル６０に力を入れて、上へ引き上げると、第二フォーク３２の下端にあるスライド部３２５が傾斜スライドレール２０に沿い、前へスライド移動しながら、第一フォーク３１上端にあるサドル５０がそれに連動して、上昇するように設けられており、交差式可動縦フレーム３０の第一フォーク３１と第二フォーク３２の間に設けられ、第二フォーク３２と第一フォーク３１を原位置に復帰させるための原位置誘導復元弾性部材７０が備わっていることを特徴とする該エクササイズバイクＡ。
【００１４】
図３、図４に示すように、該傾斜スライドレール２０は二つスライドスロット２１を備えてなり、第二フォーク３２の下端にあるスライド部３２５はそれに対応するために、間隔を開けて設けられる二つのフレームバースティング３２７があり、それに、傾斜スライドレール２０の二つのスライドスロット２１の中を転がりながら移動するための二つのローラー３２９が設けられている。
【００１５】
該原位置誘導復元弾性部材７０は、少なくとも一つの引張ばね、（図１、図２）、または、少なくとも一つの弾性バンドからなるものであり、本実施例では、該原位置誘導復元弾性部材７０は具体的に、交差式可動縦フレーム３０の第一フォーク３１の上段部及び第二フォーク３２の下段部の間に設けられ、ハンドル６０に力を入れて、それを上へ引き上げる（図６）と、第一フォーク３１の上段部と第二フォーク３２の下段部との間の挟み角が大きくなり、該原位置誘導復元弾性部材７０を引っ張って、原位置に復帰させるための作用力を蓄えるように設けられている。
【００１６】
図５に示すように、該ベースフレーム１０のフロントフレーム１１とリアフレーム１２には更に、可動ジョイント１１３、１１５と角度決めピン１２４が設けられ、ベースフレーム１０がプリセットの使用状態に折り曲げられ（図２）、または収納状態に折畳まれる（図９）ことを選択できるように設けられている。
【００１７】
上述した構造、組合せ設計により、本考案の使用、動作について次のように説明するが、図６に示すように、該エクササイズバイクＡの構造設計にあっては、第一フォーク３１と第二フォーク３２との間は支軸３３によって係合され、該第一フォーク３１の下端にはベースフレーム１０のフロントフレーム１１に設けられる連結端部３１５、第二フォーク３２の下端にはスライド移動可能で、ベースフレーム１０のリアフレーム１２にある傾斜スライドレール２０に設けられるスライド部３２５があり、ハンドル６０に力を入れて、それを上へ引き上げる（矢印Ｌ１）と、第二フォーク３２の下端にあるスライド部３２５が傾斜スライドレール２０に沿い、前へスライド移動（矢印Ｌ２）しながら、第一フォーク３１上端にあるサドル５０がそれに連動して、上昇する（矢印Ｌ３）ことになっており、このような構造形態と動作プロセスを特徴とし、本考案のエクササイズバイクＡは使用時、使用状態一は図７に示すように、使用者が該サドル５０に座り、両手がハンドル６０を握って、両足が足踏み式クランク機構４０の二つのペダル４２を踏むという姿で、両足踏み式の運動モードを行われるが、本考案のエクササイズバイクＡの使用状態二は図８に示すように、使用者は両足が二つのペダル４２を踏み続けるか、それを踏むだけで回さないという状態を問わず、両手がハンドル６０に力を入れて、それを上へ引き上げると、第二フォーク３２の下端にあるスライド部３２５が傾斜スライドレール２０に沿い、前へスライド移動しながら、第一フォーク３１上端にあるサドル５０がそれと連動して上昇することになっており、その時、使用者の姿勢は、図７に掲示された自転車乗りの姿勢から、立つ姿に近い姿勢に変わり、両肘の曲げ伸ばしも行われること。本考案のエクササイズバイクＡは使用過程中、両足だけでなく、両手、腕、腰、背中など他の身体部位にもそれぞれ異なった運動効果が得られること、その中、特にハンドル６０への引き上げによる両手、腕の筋肉に顕著なトレーニング効果を与えること、それゆえ、本考案では確かに、従来のエクササイズバイクによる単一部位の運動効果という欠点を徹底的に改善することができる。
【００１８】
一方、本考案に掲示されたエクササイズバイクＡは前述した多様なエクササイズフィットネス効果を有していながらも、全体的構造を複雑化させることなく、可動式フォーク（即ち第一フォーク３１と第二フォーク３２）のシンプルな構造設計によって実現され、製造や組立ても非常に簡単、製造コストが低く、大量生産にも有利である。
【符号の説明】
【００１９】
Ａ    エクササイズバイク
１０    ベースフレーム
１１    フロントフレーム
１１３、１１５    可動ジョイント
１２    リアフレーム
１２４、１２６    角度決めピン
２０    傾斜スライドレール
２１    スライドスロット
３０    交差式可動縦フレーム
３１    第一フォーク
３１５    連結端部
３２    第二フォーク
３２５    スライド部
３２７    フレームバースティング
３２９    ローラー
３３    支軸
４０    足踏み式クランク機構
４１    クランク軸
４２    ペダル
４３    ハンチング防止装置
５０    サドル
６０    ハンドル
７０    原位置誘導復元弾性部材
【図１】
0003201689.tif 000003
【図２】
0003201689.tif 000004
【図３】
0003201689.tif 000005
【図４】
0003201689.tif 000006
【図５】
0003201689.tif 000007
【図６】
0003201689.tif 000008
【図７】
0003201689.tif 000009
【図８】
0003201689.tif 000010
【図９】
0003201689.tif 000011